(57)【要約】  収束低減レンズであって、収束低減レンズの中心法線が、ｚ軸を定め、収束低減レンズの中心が、タンジェンシャル中心ｘ−ｙ平面を定め、互いに座標系を定め、収束低減レンズが、座標系のｙ−ｚ平面からｘ距離での遠見視力領域点でｚ軸と平行に向けられた光線をその延長がｙ−ｚ平面と遠見視力交点ｚ距離で交わるように屈折させる負遠見視力光学パワーを有する遠見視力領域と、遠見視力領域点のｘ距離の対応するｙ高さでの近見視力領域点でｚ軸と平行に向けられた光線をその延長が遠見視力交点ｚ距離よりも小さい近見視力交点ｚ距離でｙ−ｚ平面と交わるように屈折させる０．５Ｄ内で遠見視力光学パワーに適合する近見視力光学パワーを有する近見視力領域とを含む上記収束低減レンズ。【選択図】図６Ｂ
2021509728.tif 000002
【特許請求の範囲】
【請求項１】
低収束眼鏡の収束低減レンズであって、
収束低減レンズの中心法線が、ｚ軸を定め、収束低減レンズの中心が、タンジェンシャル中心ｘ−ｙ平面を定め、互いに収束低減レンズのｘ−ｙ−ｚ座標系を定め、
収束低減レンズが、
前記座標系のｙ−ｚ平面からｘ距離での遠見視力領域点で前記ｚ軸と平行に向けられた光線をその延長が該ｙ−ｚ平面と遠見視力交点ｚ距離で交わるように屈折させるように構成されて負の遠見視力光学パワーを有する遠見視力領域と、
対応するｙ高さで前記遠見視力領域点の前記ｘ距離での近見視力領域点で前記ｚ軸と平行に向けられた光線をその延長が前記遠見視力交点ｚ距離よりも小さい近見視力交点ｚ距離で前記ｙ−ｚ平面と交わるように屈折させるように構成されて０．５Ｄ内で前記遠見視力光学パワーに適合する近見視力光学パワーを有する近見視力領域と
を含む、
ことを特徴とする収束低減レンズ。
【請求項２】
前記遠見視力領域は、前記ｘ距離での前記遠見視力領域点で前記ｚ軸と平行に向けられた前記光線を遠見視力屈折角度だけ屈折させるように構成され、
前記近見視力領域は、前記対応するｙ高さで前記ｘ距離での前記近見視力領域点で前記ｚ軸と平行に向けられた前記光線を近見視力屈折角度だけ屈折させるように構成され、
前記近見視力屈折角度のｘ成分が、前記遠見視力屈折角度のｘ成分よりも大きい、
ことを特徴とする請求項１に記載の収束低減レンズ。
【請求項３】
前記遠見視力領域は、前記ｘ距離での前記遠見視力領域点で前記ｚ軸と平行に向けられた前記光線をその延長が前記ｙ−ｚ平面と遠見視力凝視収束角度で交わるように屈折させるように構成され、
前記近見視力領域は、前記対応するｙ高さで前記ｘ距離での前記近見視力領域点で前記ｚ軸と平行に向けられた前記光線をその延長が前記ｙ−ｚ平面と近見視力凝視収束角度で交わるように屈折させるように構成され、
前記近見視力凝視収束角度は、前記遠見視力凝視収束角度よりも大きい、
ことを特徴とする請求項１に記載の収束低減レンズ。
【請求項４】
前記遠見視力領域点の前記ｘ距離での漸変領域点で前記ｚ軸と平行に向けられた光線を前記近見視力交点ｚ距離と前記遠見視力交点ｚ距離の間にある漸変交点ｚ距離で前記ｙ−ｚ平面と交わるように屈折させるように構成された少なくとも部分的に前記遠見視力領域と前記近見視力領域の間の漸変領域、
を含むことを特徴とする請求項１に記載の収束低減レンズ。
【請求項５】
前記近見視力領域は、５ｍｍ2よりも大きい面積を有する、
ことを特徴とする請求項１に記載の収束低減レンズ。
【請求項６】
前記近見視力領域は、１０ｍｍ2よりも大きい面積を有する、
ことを特徴とする請求項１に記載の収束低減レンズ。
【請求項７】
前記近見視力光学パワーは、０．２５Ｄ内で前記遠見視力光学パワーに適合する、
ことを特徴とする請求項１に記載の収束低減レンズ。
【請求項８】
前記近見視力領域は、長円形、四分円、三角形、四角形、細長領域、対角領域、チャネル、通路、円形、及びＤ字形状のうちの１つである、
ことを特徴とする請求項１に記載の収束低減レンズ。
【請求項９】
前記近見視力領域の大部分が、収束低減レンズの下鼻−下位鼻側四分円に位置付けられる、
ことを特徴とする請求項１に記載の収束低減レンズ。
【請求項１０】
前記近見視力交点ｚ距離は、像−調節プロトコル、レンズ−調節プロトコル、及び光源−調節プロトコルのうちの少なくとも１つによって決定されるような前記遠見視力交点ｚ距離よりも小さい、
ことを特徴とする請求項１に記載の収束低減レンズ。
【請求項１１】
前面であって、
前記座標系の前記中心から鼻側ｘ距離で前記遠見視力領域で前記前面に接する遠見視力前側タンジェンシャル、及び
前記鼻側ｘ距離でのかつ対応するｙ高さでの前記近見視力領域で前記前面に接する近見視力前側タンジェンシャル、
を有する前記前面と、
後面であって、
前記鼻側ｘ距離での前記遠見視力領域で前記後面に接する遠見視力後側タンジェンシャル、及び
前記鼻側ｘ距離でのかつ前記対応するｙ高さでの前記近見視力領域で前記後面に接する近見視力後側タンジェンシャル、
を有する前記後面と、
を含み、
前記遠見視力前側タンジェンシャル及び前記遠見視力後側タンジェンシャルは、遠見視力面収束角度を形成し、かつ前記近見視力前側タンジェンシャル及び前記近見視力後側タンジェンシャルは、近見視力面収束角度を形成し、
前記近見視力面収束角度は、前記遠見視力面収束角度よりも大きい、
ことを特徴とする請求項１に記載の収束低減レンズ。
【請求項１２】
前記遠見視力領域は、遠見視力ｚ軸を有し、前記近見視力領域は、近見視力ｚ軸を有し、
前記近見視力ｚ軸は、前記遠見視力ｚ軸に対して鼻方向に回転される、
ことを特徴とする請求項１に記載の収束低減レンズ。
【請求項１３】
前記遠見視力領域及び前記近見視力領域のうちの少なくとも一方が、非球面成分、パワー中立成分、円柱成分、コマ成分、及び非点収差成分のうちの少なくとも１つを有する、
ことを特徴とする請求項１に記載の収束低減レンズ。
【請求項１４】
収束低減レンズであって、
収束低減レンズの中心法線が、ｚ軸を定め、収束低減レンズの中心が、タンジェンシャル中心ｘ−ｙ平面を定め、互いに収束低減レンズのｘ−ｙ−ｚ座標系を定め、
収束低減レンズが、
前記座標系のｙ−ｚ平面からｘ距離での遠見視力領域点で光源によって向けられた光線を該ｙ−ｚ平面との遠見視力光収束角度を形成するように屈折させるように構成されて負の遠見視力光学パワーを有する遠見視力領域であって、該光源が該座標系の中心から交点ｚ距離で前記ｚ軸上に位置付けられる前記遠見視力領域と、
対応するｙ高さで前記座標系の前記ｙ−ｚ平面から前記ｘ距離での近見視力領域点で前記光源によって向けられた光線を該ｙ−ｚ平面との近見視力光収束角度を形成するように屈折させるように構成されて０．５Ｄ内で前記遠見視力光学パワーに適合する近見視力光学パワーを有する近見視力領域と、
を含み、
前記光源は、前記座標系の前記中心から前記交点ｚ距離で前記ｚ軸上に位置付けられ、
前記近見視力光収束角度のｘ成分が、前記遠見視力光収束角度のｘ成分よりも大きい、
ことを特徴とする収束低減レンズ。
【請求項１５】
前記遠見視力領域は、前記座標系の前記ｙ−ｚ平面から前記ｘ距離での前記遠見視力領域点で前記光源によって向けられた光線を遠見視力屈折角度だけ屈折させるように構成され、
前記近見視力領域は、前記座標系の前記ｙ−ｚ平面から前記ｘ距離での前記近見視力領域点で前記光源によって向けられた光線を近見視力屈折角度だけ屈折させるように構成され、
前記近見視力屈折角度のｘ成分が、前記遠見視力屈折角度のｘ成分よりも大きい、
ことを特徴とする請求項１４に記載の収束低減レンズ。
【請求項１６】
前記座標系の前記中心から鼻側ｘ距離での遠見視力前側タンジェンシャル、及び
前記鼻側ｘ距離での近見視力前側タンジェンシャル、
を有する前面と、
前記鼻側ｘ距離での遠見視力後側タンジェンシャル、及び
前記鼻側ｘ距離での近見視力後側タンジェンシャル、
を有する後面と、
を含み、
前記遠見視力前側タンジェンシャル及び前記遠見視力後側タンジェンシャルは、遠見視力面収束角度を形成し、かつ前記近見視力前側タンジェンシャル及び前記近見視力後側タンジェンシャルは、近見視力面収束角度を形成し、
前記近見視力面収束角度は、前記遠見視力面収束角度よりも大きい、
ことを特徴とする請求項１４に記載の収束低減レンズ。
【請求項１７】
前記遠見視力領域は、遠見視力ｚ軸を有し、前記近見視力領域は、近見視力ｚ軸を有し、
前記近見視力ｚ軸は、前記遠見視力ｚ軸に対して鼻方向に回転される、
ことを特徴とする請求項１４に記載の収束低減レンズ。
【請求項１８】
前記近見視力光収束角度の前記ｘ成分は、像−調節プロトコル、レンズ−調節プロトコル、及び光源−調節プロトコルのうちの少なくとも１つによって決定されるような前記遠見視力光収束角度の前記ｘ成分よりも大きい、
ことを特徴とする請求項１４に記載の収束低減レンズ。
【発明の詳細な説明】
【技術分野】
【０００１】
本発明は、一般的に改善された眼鏡レンズに関し、より詳細には、眼球緊張を低減して収束を緩和し、かつ固有受容フィードバックを変更する眼鏡レンズに関する。
【背景技術】
【０００２】
正常視力の場合に、個人は、異なる距離に位置付けられた物体にフォーカスすることができる。理想的には、個人は、遠見視力と呼ばれる遠くの物体上にかつ近見視力と呼ばれる近い物体上にフォーカスすることができる。眼の光学系は、遠見視力と近見視力の両方に対してフォーカスするために多くの筋肉を使用する。これらの筋肉は、遠見視力及び近見視力間で移行する時に眼の様々な態様を調節する。筋肉調節は、水晶体の形状に微妙な変化を加えて水晶体のフォーカスを調節すること、眼球を回転させてそれらの光軸を回転させること、及び瞳孔のサイズを変えることを含む。
【０００３】
老視は、加齢による眼の水晶体の可撓性の損失によって引き起こされる近見視力の自然な劣化である。老視は、近い物体を凝視する時に眼がそれほど強くフォーカスしなくてもよいように近見視力屈折誤差を補正する「読書」眼鏡を着用することによって部分的に補償することができる。老視の個人は、近見視力及び遠見視力に対して異なる光学補正を必要とする。しかし、２つの眼鏡を用いること及びそれらを高い頻度で取り替えることは紛らわしいことである。絶えず眼鏡を取り替えることを回避するために、近見視力及び遠見視力に対して異なる光学補正を提供する遠近両用眼鏡が使用される場合がある。これらの２つの視力領域間の移行は、急変又は漸変とすることができる。後者の眼鏡は、累進加算レンズ（ＰＡＬ）と呼ばれる。急変遠近両用眼鏡は、２つの視力領域を分離する可視線を有し、一方でＰＡＬは、異なる屈折パワー（ｄｉｏｐｔｒｉｃ  ｐｏｗｅｒｓ）を有する領域間に可視の線又は縁を持たない。
【先行技術文献】
【特許文献】
【０００４】
【特許文献１】ＵＳ  １５／２８９，１５７
【特許文献２】ＵＳ  １５／２８９，１６３
【特許文献３】ＵＳ  １５／２８９，１９４
【発明の概要】
【発明が解決しようとする課題】
【０００５】
全てのこの進歩にも関わらず、一部のタイプの視力関連の不快感が依然として存続している。これらの不快感の１つは、現代のデジタル生活様式での習慣のシフトに関連している。職業の大きくかつ増大する割合が、労働者に彼らの作業時間の大きくかつ増大する割合をコンピュータ画面及びモバイルデバイスを含む近距離デジタルインタフェースにフォーカスするのに費やすことを要求している。同じことは、取りわけ、何時間もビデオゲームで遊び、セル電話上で文字通信して更新を確認する多くの人々の私生活に関しても真である。全てのこれらの職業的及び挙動的シフトは、人々がデジタル画面、デバイス、ディスプレイ、及びモニタを以前よりも遙かに近い距離で注視するのに費やす時間を急速に増加させた。眼が近見視力ターゲットに慣らされている時間の増加は、近見視力に関わる筋肉に対して過度の要求を課し、多くの場合にそれらを快適ゾーンを超えて緊張させる。これは、疲労、不快感、疼痛、又は更にデジタル誘起の偏頭痛に至る可能性がある。これまでのところ、これらのデジタルデバイス関連の視覚的不快感、疼痛、及び偏頭痛の正確な発症機構に対する広く受け入れられた統一見解はない。従って、デジタル眼球不快感に関して緩和を提供することができる眼鏡又は他の視機能ソリューションに対する必要性が存在する。
【課題を解決するための手段】
【０００６】
実施形態は、低収束眼鏡の収束低減レンズを含み、収束低減レンズの中心法線は、ｚ軸を定め、収束低減レンズの中心は、タンジェンシャル中心ｘ−ｙ平面を定め、互いに収束低減レンズのｘ−ｙ−ｚ座標系を定め、収束低減レンズは、座標系のｙ−ｚ平面からｘ距離での遠見視力領域点でｚ軸と平行に向けられた光線をその延長が遠見視力交点ｚ距離でｙ−ｚ平面と交わるように屈折させるように構成されて負遠見視力光学パワー（ｎｅｇａｔｉｖｅ  ｄｉｓｔａｎｃｅ−ｖｉｓｉｏｎ  ｏｐｔｉｃａｌ  ｐｏｗｅｒ）を有する遠見視力領域と、対応するｙ高さで遠見視力領域点のｘ距離での近見視力領域点でｚ軸と平行に向けられた光線をその延長が遠見視力交点ｚ距離よりも小さい近見視力交点ｚ距離でｙ−ｚ平面と交わるように屈折させるように構成されて０．５Ｄ内で遠見視力光学パワー（ｄｉｓｔａｎｃｅ−ｖｉｓｉｏｎ  ｏｐｔｉｃａｌ  ｐｏｗｅｒ）に適合する近見視力光学パワー（ｎｅａｒ−ｖｉｓｉｏｎ  ｏｐｔｉｃａｌ  ｐｏｗｅｒ）を有する近見視力領域とを含む。
【０００７】
実施形態は、更に、収束低減レンズを含み、収束低減レンズの中心法線は、ｚ軸を定め、収束低減レンズの中心は、タンジェンシャル中心ｘ−ｙ平面を定め、互いに収束低減レンズのｘ−ｙ−ｚ座標系を定め、収束低減レンズは、座標系のｙ−ｚ平面からｘ距離での遠見視力領域点で光源によって向けられた光線を屈折させてｙ−ｚ平面との遠見視力光収束角度を形成するように構成されて負遠見視力光学パワーを有する遠見視力領域であって、光源が座標系の中心から交点ｚ距離でｚ軸上に位置付けられる上記遠見視力領域と、対応するｙ高さで座標系のｙ−ｚ平面からｘ距離での近見視力領域点で光源によって向けられた光線を屈折させてｙ−ｚ平面との近見視力光収束角度を形成するように構成されて０．５Ｄ内で遠見視力光学パワーに適合する近見視力光学パワーを有する近見視力領域であって、光源が座標系の中心から交点ｚ距離でｚ軸上に位置付けられる上記近見視力領域とを含み、近見視力光収束角度のｘ成分は、遠見視力光収束角度のｘ成分よりも大きい。
【図面の簡単な説明】
【０００８】
【図１Ａ】光学レンズの屈折角度を示す図である。
【図１Ｂ】光学レンズの屈折角度を示す図である。
【図２Ａ】単眼視野レンズの屈折角度を示す図である。
【図２Ｂ】単眼視野レンズの屈折角度を示す図である。
【図２Ｃ】単眼視野レンズの屈折角度を示す図である。
【図３Ａ】凝視収束角度を誘起する近い物体を示す図である。
【図３Ｂ】凝視収束角度を誘起する近い物体を示す図である。
【図４Ａ】凝視収束角度に対する収束低減レンズの効果を示す図である。
【図４Ｂ】凝視収束角度に対する収束低減レンズの効果を示す図である。
【図５Ａ】光伝播に対する収束低減レンズの効果を示す図である。
【図５Ｂ】光伝播に対する収束低減レンズの効果を示す図である。
【図５Ｃ】光伝播に対する収束低減レンズの効果を示す図である。
【図５Ｄ】光伝播に対する収束低減レンズの効果を示す図である。
【図６Ａ】収束低減レンズによって影響された光伝播の態様を示す図である。
【図６Ｂ】収束低減レンズによって影響された光伝播の態様を示す図である。
【図６Ｃ】収束低減レンズによって影響された光伝播の態様を示す図である。
【図６Ｄ】収束低減レンズによって影響された光伝播の態様を示す図である。
【図７Ａ】様々な収束低減レンズの等高線表現を示す図である。
【図７Ｂ】様々な収束低減レンズの等高線表現を示す図である。
【図８Ａ】収束低減レンズ内の近見視力領域の様々な設計を示す図である。
【図８Ｂ】収束低減レンズ内の近見視力領域の様々な設計を示す図である。
【図８Ｃ】収束低減レンズ内の近見視力領域の様々な設計を示す図である。
【図９Ａ】収束低減レンズのｚ軸斜視図である。
【図９Ｂ】収束低減レンズのｚ軸斜視図である。
【図１０Ａ】収束低減レンズの様々な実施形態での軸外曲率中心を示す図である。
【図１０Ｂ】収束低減レンズの様々な実施形態での軸外曲率中心を示す図である。
【発明を実施するための形態】
【０００９】
最初に近見視力に関する凝視収束角度に対する既存眼鏡の通常の単眼視野レンズの効果を説明することによって本発明の実施形態の背景を示す。その後に本発明の実施形態を以下に説明する。
【００１０】
図１Ａは、典型的な正パワー（ｐｏｓｉｔｉｖｅ  ｐｏｗｅｒ）単眼視野光学レンズ１が入射光線２又は単純に光２にどのように影響を及ぼすかを示している。平行光線２がレンズ１上に入射すると、レンズ１は、それらを焦点Ｆの中にフォーカスする。
【００１１】
図１Ｂは、入射光線２の偏心又は軸外部分に着目している。見て分るように、偏心又は軸外平行光線は、十分に確立された光屈折の法則に従ってレンズ１の傾斜又は湾曲した前面と傾斜又は湾曲した後面とによって焦点Ｆに向けて屈折される。光線がこれら２つの傾斜又は湾曲した面を通って伝播する全体効果は、それらが誘起された屈折角度αの屈折を受けることである。
【００１２】
負光学パワー（ｎｅｇａｔｉｖｅ  ｏｐｔｉｃａｌ  ｐｏｗｅｒ）単眼視野レンズは、光線の光源側延長が（仮想）焦点Ｆで交わるように光線を光軸から離れるように屈折させる。これを負パワー（ｎｅｇａｔｉｖｅ  ｐｏｗｅｒ）レンズが負焦点距離を有するということによって特徴付けることが通例である。
【００１３】
軸から半径方向距離ｒでのレンズ領域による屈折の量を特徴付ける異なる関連の方法がある。１つの特徴付けは、屈折角度αそれ自体によるものである。別のものは、レンズの焦点距離であるｆに対するレンズ光軸３からのレンズの領域の半径方向距離であるｒの比として表されるこの同じ屈折角度のタンジェントによるものである：
ｔａｎα＝ｒ／ｆ              （１）
【００１４】
この関係は、Ｄ＝１／ｆ［１／ｍ］として定められるＤジオプトリの光学パワー（ｏｐｔｉｃａｌ  ｐｏｗｅｒ）のレンズがレンズ１の軸３から半径方向距離ｒでレンズに入射する光線に対して屈折角度αを誘起することを示し、ここでαは、次式によって与えられる：
ｔａｎα＝ｒ*Ｄ              （２）
【００１５】
図２Ａは、光学パワーＤを有する単純な単眼視野レンズ１０を示している。
【００１６】
図２Ｂは、図２Ａの単眼視野レンズ１０の傾斜又は湾曲した面がレンズの軸から離れるような領域毎の屈折角度αを誘起するという上述の概念を示している。屈折角度αの大きさは、軸からの半径方向距離にのみ依存するので、α等高線、すなわち、屈折角度αの大きさが等しい点は、同心円を形成する。図示の円は、約ｒ＝２．８ｍｍ、ｒ＝５．６ｍｍ、ｒ＝８．４ｍｍ、ｒ＝１１．２ｍｍ，及びｒ＝１４．１ｍｍの半径を有する。式（２）は、屈折角度αのタンジェントであるｔａｎαが半径ｒと光学パワーＤの積として与えられることを提供している。ここで、Ｄの単位は［１／ｍ］であり、ｒの単位は［ｍ］である。ｒの典型的な値は、１〜２０ミリメートルであり、Ｄの値は、数ジオプトリ［１／ｍ］であるので、ｔａｎα及び従ってαは、１０-3〜１０-1の範囲の値を取る。一例として、ｒ＝１ｍｍ及びＤ＝１［１／ｍ］に対して、ｔａｎα＝１０-3である。より扱い易い数値を得るために、１００*ｔａｎαである「屈折ジオプトリ」又は「ｒＤ」を定義することができる。この定義を使用すると、ｔａｎα＝０．０１に対する屈折角度は、１ｒＤの屈折ジオプトリを有する。従って、図２Ｂに戻ると、図示の円上の１Ｄパワーレンズに対して、屈折ジオプトリは、０．２８ｒＤ、０．５６ｒＤ、０．８４ｒＤ、１．１２ｒＤ、及び１．４１ｒＤという値を取る。本明細書では、屈折角度は、以下で多くの場合に屈折ジオプトリを用いて表す。同じく上述のように、屈折角度は小さいので、角度とそれらのタンジェントは、以下で交換可能に使用される。
【００１７】
図２Ｂの下側のグラフは、屈折角度αのｘ成分であるαxを示しており、ｘ−ｙ座標系は、レンズ１０の中心を原点とし、その軸は、図示のようにレンズ１０の平面内で水平及び垂直である。αxを定めるためのいくつかの方法があり、これらは互いに同様である。１つの実用的な定義は、αx＝ｓｉｎφ*αであり、式中のφは、図示のように図２Ｂの平面内で真下に向くｙ軸の負又は下半分から測定される角度である。式（２）と組み合わせて長さｒの半径方向ベクトルのｘ座標であるｓｉｎφ*ｒ＝ｘを使用すると、次式の単純な関係が与えられる：
αx＝ｘ*Ｄ              （３）
【００１８】
図２Ｂの下側のグラフは、αxを一般的に角度φの関数として示している。上側の図は、＋４５度及び−４５度の線に沿うαxの特定の値をｓｉｎ（４５）＝０．７を用いて示している。これらの値は、図示のように（明瞭化の目的で単位ｒＤを記していない）αx＝０．２ｒＤ、０．４ｒＤ、０．６ｒＤ、０．８ｒＤ、及び１．０ｒＤである。
【００１９】
αxの類似の定義は、屈折光線２の投影の幾何学形状をより正確に考慮するαx＝ｓｉｎφ*ｔａｎαを含む。しかし、存在する小さい角度では、これら２つの定義は非常に似通った数値をもたらす。最終的に、この数式は、光軸３と平行ではなく光軸３と角度βを成す光線２に対して拡張することができる。一般的に、そのような拡張は、角度βへの依存性による物体角度依存の表現をもたらすことになる。取りわけ、そのようなβ依存の数式は、αで展開することができる。そのような拡張は、αの最高次では式（２）を再現することになる。
【００２０】
αxは、屈折角度αのｘ成分を特徴付けて、それは、次に、眼鏡の着用者がこれらの光線に集中するために凝視をどの程度方向転換させる必要があるかを決定する。レンズ１０の領域内のαxが大きい程、この領域を通過する光２はレンズ１０によって大きく屈折され、着用者は、この屈折光２に位置合わせするために凝視をレンズ１０に対して大きく方向転換させなければならない。
【００２１】
図２Ｃは、αxが同じ値を取る点の間を接続する図２Ｂのレンズ１０に関するαx等高線を示している。見て分るように、光学パワーＤの単眼視野レンズ１０では、αxは、αx等高線が有する点のｘ座標にのみ依存するので、αx等高線は、ｙ軸と平行なほぼ真っ直ぐな線である。線形近似が補正を必要とし始める大きい光学パワー及び半径では、αx等高線は、半径方向外向きにｘ軸の近くに膨らみ始める。図示のαx等高線の値は、正パワーレンズに関するものである。負パワーレンズでは、鼻側／左等高線は正値を取得し、右／側頭側等高線は負値を取得する。
【００２２】
図３Ａは、人が遠くの物体を凝視している時に左眼の凝視方向と右眼の凝視方向とが実質的に平行であることを示している。従って、凝視方向の収束は存在せず、眼筋は全く緊張しない。そのような場合に、眼球５の中心を通って遠くの物体に向く２つのｚ軸３は、眼球−光軸９と一致する。遠くの物体からの光線２は眼球５に入射し、その後に、途中で眼球水晶体７を通って伝播し、眼球５の網膜に当たる。次に、近い物体に向けられる凝視の収束角度を特徴付けるための基準として平行なｚ軸３を使用する。
【００２３】
図３Ｂは、人が近い物体を凝視している時に左眼の凝視と右眼の凝視とが互いに向けて傾斜又は回転し、各凝視がｚ軸３と非ゼロの凝視収束角度βを成すことを示している。凝視収束角度βは、互いに向う２つの眼の凝視の収束を特徴付けて、以下では、凝視収束角度βは、特に、眼の全凝視回転角度のｘ成分を指すものとする。凝視収束角度βのこの取り決めにより、凝視収束角度βは屈折角度のｘ成分αxと類似になり、従って、説明が容易になる。
【００２４】
上述のように、眼球は、眼に外部から取り付けられた筋肉によって回転される。特に、横方向のｘ方向の回転は、内直筋と外直筋によって制御され、垂直回転は、上直筋と下直筋、及び上斜筋と下斜筋によって制御される。左眼の内直筋と右目の内直筋が収縮すると、これらの眼の凝視は互いに向けて収束する。電子画面、デジタル画面、モバイル電子デバイスの画面、仕事関連の文書、又は更に書籍のような近い物体に長時間にわたって眼を慣らす個人は、内直筋及び上斜筋の連続的な収縮を必要とし、従って、これらの筋肉にかなりの緊張を及ぼす。この「デジタル眼球緊張」は、疲労に至る可能性があり、現代のデジタル生活様式の要求によって引き起こされる頭痛に至り、最終的に偏頭痛に達する。
【００２５】
デジタル生活様式は、他の形態の眼精疲労又は眼球緊張と、固有受容視差及び固視視差を含む他のタイプの収束障害とを含む可能性がある。固有受容視差は、眼が意識的にフォーカスされている場所と物体が空間内で位置付けられた場所の知覚との間の均衡不良である。この視差は様々なファクタに依存する。固有受容視差を有する患者の脳は、この視差を補償することができる。しかし、そうすることによって三又神経が過剰刺激を受け、その結果、患者が頭痛、眼の疲れ、眼の周りの疼痛、霧視、頚部痛、乾燥性角結膜炎、及び眼精疲労の他の一般的な症状を体験することになる。
【００２６】
特に言及に値する部類の症状は、１億人の米国人に影響を及ぼしていると推定されるコンピュータ視力症候群（ＣＶＳ）である。コンピュータ視力症候群は、近距離のコンピュータデバイスを見ながら長時間費やした後に感じられる物理的な眼の不快感である。ＣＶＳは、様々な眼精疲労症状を含む又は誘起する可能性があり、従って、健康、喜び、気分、及び労働生産率に対する弊害を有する可能性がある。
【００２７】
別の大きい部類の症状は、慢性連日性頭痛（ＣＤＨ）という名称で公知である。ＣＤＨの症状は、３千万人の米国人に影響を及ぼしていると推定されている。これらの患者は、それ自体が慢性連日性頭痛に発現する三又神経の過剰刺激に悩まされる。様々なファクタ及び誘因が、身体を衰弱させる慢性連日性頭痛に寄与すると考えられる。ＣＤＨの因果関係に関する統一見解が不在の状態では、ＣＤＨに悩まされる患者は、これらの症状を鈍化させようと模索するだけの治療オプションに限られる。しかし、本出願人は、慢性連日性頭痛患者のうちのかなりの割合が中枢視力系と、末梢視力系と、神経系とが相互作用する際のこれらの作用動態の間の不整合な他覚的徴候を示すことに気付いている。従って、本出願人は、凝視収束を修正し、観察される不整合を考慮する眼鏡レンズを生成することによって眼精疲労、ＣＶＳ、及びＣＤＨの根本原因を緩和することを提案する。
【００２８】
図４Ａは、負パワー（単眼視野）眼鏡１０’が、図２Ｃに関して上述したように屈折角度αのｘ成分であるαxが鼻側領域内で正であることに起因して眼が図３Ｂの眼鏡不在の場合と比較してある程度まで凝視収束角度βを低減することを可能にすることができることを示している。従って、これらの負パワー単眼視野眼鏡１０’は、デジタルデバイスによって引き起こされる眼球緊張、眼精疲労、コンピュータ視力症候群、ＣＤＨ、及び固有受容視差をある程度楽にすることができる。しかし、多くの場合に、この緩和は十分ではなく、眼球緊張及び眼精疲労は、負パワー単眼視野眼鏡の着用者においても持続する。
【００２９】
図４Ｂは、眼球緊張、眼精疲労、コンピュータ視力症候群、及び負パワーレンズに対する固有受容視差によって引き起こされる症状を更に低減し、多くの場合に排除することができる収束低減眼鏡１００’内の収束低減レンズの実施形態を示している。収束低減レンズ１００を有する収束低減眼鏡１００’は、その着用者がデジタルデバイスのような隣接物体を注視する時に凝視収束角度βを低減する適切に修正された屈折角度αを有する。低減した凝視収束角度βは、鼻方向への眼のより小さい回転しか必要とせず、従って、眼の内直筋及び上斜筋の連続的な収縮及び緊張を緩和する。この低減した筋肉緊張は、デジタル偏頭痛を低減し、多くの場合に排除する。
【００３０】
図５Ａ〜図５Ｂは、眼球緊張及び関連のデジタル眼球不快感を緩和する眼球緊張低減レンズ１００又は収束低減レンズ１００の実施形態を詳細に例示している。本明細書を通じて眼球緊張低減レンズ１００という用語と収束低減レンズ１００という用語を交換可能に用いて取り扱う。明瞭化の目的で、収束低減眼鏡１００’の収束低減レンズ１００のうちの１つだけを示している。下記の説明は、鼻を横切って鏡像反転のような適切な修正を加えた上で収束低減眼鏡１００’の他方のレンズに対しても適用される。参考までに、眼鏡着用者の鼻を示している。収束低減レンズ１００の実施形態は、以下の通りにｘ−ｙ−ｚ座標系を定めることができる。収束低減レンズ１００の中心法線は、ｚ軸３を定めることができ、収束低減レンズ１００の中心領域は、タンジェンシャル中心ｘ−ｙ平面を定めることができる。座標系の中心は、収束低減レンズ１００の中心にあるとすることができる。ｘ軸は、眼鏡１００’に対して「水平」であり、従って、左と右の両方の収束低減レンズ１００の中心を通過するという取り決めを採用する。相応に、ｙ軸は垂直である。眼鏡内のレンズは円形であるとは限らず、従って、その中心の定義が明確に定められた状態で現れない場合があるが、レンズ製造工程の標準生成物は、多くの場合にパックと呼ばれて後にレンズを切り抜く元になる円形ディスクである。これらの円形ディスク又はパックの中心は明確に定められる。この中心の概念の自然な拡張又は適応は、特定のレンズに対して定められ、それによってｘ−ｙ−ｚ座標系の定義を固定することができる。時には簡潔化の目的で、ｘ−ｙ−ｚ座標系は、単純に座標系と呼ばれることになる。
【００３１】
このｘ−ｙ−ｚ座標系を用いてかつ図５Ａを参照して、収束低減レンズ１００は、（ｘｙ−ｚ）座標系の中心から遠見視力ｘ距離ｘPdでの遠見視力領域点Ｐdで光源（又は物体、下記を参照されたい）１１によって向けられた光線２を屈折させて眼球−中心表現場所８に伝播するように構成されて負遠見視力光学パワーを有する遠見視力領域１１０を含むことができる。一部の実施形態では、眼球−中心表現場所８は、眼球中心８それ自体とすることができる。他の実施形態では、眼球−中心表現場所８は、場所８に配置されたセンサ又は場所８にわたって位置決めされた画面とすることができ、眼球−中心表現場所８は、ｚ軸３上で光源の方向と反対の方向にレンズの座標系の中心から１５〜２５ｍｍの範囲のｚ距離位置する。これらのセンサ又は画面である眼球−中心表現場所８は、測定及び特徴付けに向けてより適切で利用可能なものとすることができる。例えば、眼球５の代わりに、眼球水晶体７と眼の角膜とを表すように配置され、そのように機能するレンズを含むフルサイズ眼球モデルを使用することができる。この眼球モデルは、ｙ方向軸の周りに回転可能にし、眼球−中心表現場所８に位置決めすることができる。
【００３２】
図５Ｂは、収束低減レンズ１００が、座標系の中心から近見視力ｘ距離ｘPnでの対応するｙ高さでの近見視力領域点Ｐnで光源１１によって向けられた光線２を眼球−中心表現場所８のｘ−ｚ場所に伝播するように屈折させるように構成されて、０．５ジオプトリＤ内で負遠見視力光学パワーに適合する近見視力光学パワーを有する近見視力領域１２０を更に含むことができることを示している。
【００３３】
図５Ａ及び図５Ｂでの眼球−中心表現場所８のｘ−ｚ場所は（少なくともほぼ）同じであり、それに対して遠見視力領域１１０のｙ高さと近見視力領域１２０のｙ高さとが異なるので、対応するｙ高さは異なる。図５Ａ〜図５Ｄは、これらの実施形態をｘ−ｚ断面に示すので、眼球−中心表現場所８の適合するｘ−ｚ場所しか例示していない。
【００３４】
近見視力領域１２０の光学パワーは遠見視力領域１１０の光学パワーに非常に近く、一部の実施形態では等しいので、収束低減レンズ１００の実施形態は、単眼視野レンズ又は単一視野レンズと呼ばれる。この態様は、これらのレンズを近見視力光学パワーと遠見視力光学パワーとが異なる他の従前の遠近両用眼鏡と区別することができる。
【００３５】
明瞭化の目的で、本明細書では、「光学パワー」（”ｏｐｔｉｃａｌ  ｐｏｗｅｒ”）という用語は、特にレンズの焦点距離ｆに関して焦点距離に反比例するジオプトリＤ、すなわち、Ｄ＝１／ｆで測定される光学パワーを指す。同様に、図５Ａは、高い正のｙ座標での収束低減レンズ１００の断面とすることができ、それに対して図５Ｂは、より低い負のｙ座標での同じ収束低減レンズ１００の断面を示すとすることができる。本明細書では、場合によって光線は、遠見視力領域１１０内と近見視力領域１２０内とで同じｘ距離で収束低減レンズ１００に当たるものとして説明する。当然ながら、遠見視力領域１１０では、ｘ距離により高い／正のｙ値で当たり、それに対して近見視力領域１２０では、同じｘ距離により低い／負のｙ値で当たる。
【００３６】
図５Ａ〜図５Ｂの実施形態では、図示のように近見視力ｘ距離ｘPnは遠見視力ｘ距離ｘPdよりも小さい。見て分るように、これらの実施形態では近見視力ｘ距離ｘPnが遠見視力ｘ距離ｘPdよりも小さいので、この収束低減レンズ１００の着用者は、近見視力領域１２０を通して光源１１を注視する時に、遠見視力領域１１０を通して（対応するｙ高さで）眼の眼球−光軸９を同じ光源１１を注視する場合と比較してｚ軸３に向けて近い場所に回転させ、それによって次に更に詳しく説明するように凝視収束角度βは低減する。図５Ｂに示すように、小さい凝視収束角度βは、眼球５の緊張低減回転を意味する。従って、収束低減レンズ１００は、眼球緊張低減レンズ１００と呼ばれる場合もある。この理由から、収束低減眼鏡１００’は、眼球緊張、デジタル偏頭痛、ＣＶＳ、ＣＤＨ、固有受容視差、固視視差、眼精疲労を低減し、一般的に収束障害を低減するという待望の医療的利益を送出する。
【００３７】
遠見視力領域内で非負光学パワー（ｎｏｎ−ｎｅｇａｔｉｖｅ  ｏｐｔｉｃａｌ  ｐｏｗｅｒ）を有する関連の眼球緊張低減レンズは、現在特許出願中かつ本出願人所有の特許出願ＵＳ  １５／２８９，１５７「眼球緊張低減レンズ（Ｅｙｅ−ｓｔｒａｉｎ  ｒｅｄｕｃｉｎｇ  ｌｅｎｓ）」、ＵＳ  １５／２８９，１６３「低収束眼鏡（Ｌｏｗ  ｃｏｎｖｅｒｇｅｎｃｅ  ｓｐｅｃｔａｃｌｅｓ）」、及びＵＳ  １５／２８９，１９４「軸外曲率中心を有するレンズ（Ｌｅｎｓ  ｗｉｔｈ  ｏｆｆ−ａｘｉｓ  ｃｕｒｖａｔｕｒｅ  ｃｅｎｔｅｒ）」に記載されている。本説明の実施形態とこれら３つの出願に記載されているものとの間の相違点は、非負パワー（ｎｏｎ−ｎｅｇａｔｉｖｅ  ｐｏｗｅｒ）レンズが近見視力領域内で眼球緊張を悪化させ、それに対して本明細書に説明する負パワーレンズは、ある程度まで眼球緊張を低減することができる点である。しかし、この低減にも関わらず、本出願人は、患者を扱う中で多くの場合に更に別の緩和を必要とすることを見出している。眼球緊張のこの更に別の緩和は、本明細書に説明する眼球緊張低減眼鏡１００’によって達成される。
【００３８】
遠近両用眼鏡は、通常の遠見視力領域とは別個の近見視力領域を有する。そのような眼鏡には、更にこれら２つの視力領域の収束特性又は屈折特性を異なるものにすることによって眼球緊張低減の追加の医療的利益を与えることができる。
【００３９】
本明細書に説明する単一視野又は単眼視野収束低減レンズ１００の際立った特徴は、近見視力領域１２０と遠見視力領域１１０とが適合光学パワー（ｍａｔｃｈｉｎｇ  ｏｐｔｉｃａｌ  ｐｏｗｅｒｓ）を有するにも関わらず、これらのレンズが、遠見視力領域１１０の光学パワーとは異なる光学パワーを有する近見視力領域１２０を有することである。これは、２つの視力領域の光学パワーと光学パワーの両方が異なる上述の遠近両用眼鏡と対照的である。これは、少なくとも以下の理由から定性的な決定的差異である。
【００４０】
（１）遠近両用眼鏡は、光学パワーである異なる光学特性を有する２つの視力領域を予め有する。従って、レンズ設計者は、収束を低減するために光学パワーのような更に別の光学特性も異なるものにするように想起する場合がある。しかし、単眼視野レンズでは、設計者が、近見視力領域の光学パワーがレンズの遠見視力領域と同じであるレンズにおいて異なる光学パワーを与えるという目的だけで近見視力領域を考え出して生成するということは全く明白ではない。
【００４１】
（２）眼鏡レンズに関する世界市場では、２０１５年には世界中で販売された台数が１０億よりも多く、米国だけで３億２千万を上回った。同様に、米国人口の７５％又は約２億４千万人の人々が何らかのタイプの視力補正眼鏡を着用していることも推定されている。米国で今日販売されている眼鏡のうちで全体市場の約９０％である断然大きい市場セグメントは、単眼視野レンズを有し、約１０％又は２千万〜２千５百万人の人々しか遠近両用眼鏡を着用していない。主として若年及び中年早期の単眼視野レンズ着用者は、単純に遠近両用眼鏡を必要としていない。一部の業界調査は、コンピュータ視力症候群に悩まされているか又はそれを報告する人々の数が１億人よりも多いと推定している。先に、様々な症状及び定義に基づいて潜在的な患者を３千万人と推定した他の情報源に言及した。従って、収束低減近見視力領域を単眼視野眼鏡の中に導入することにより、収束低減技術の広がりは、狭い１〜２千万台／年の遠近両用眼鏡市場セグメントから１億余台／年の単眼視野眼鏡市場セグメントに拡張されることになる。従って、本明細書に説明する単眼視野眼鏡は、収束低減の医療的利益を届けることができる人々の群を劇的に拡大することになる。
【００４２】
（３）ゼロ又は近ゼロの光学パワーのみを有する収束低減単眼視野眼鏡は、市場浸透度を更に別の広い部類に定性的に拡大することになる。これらの眼鏡は、光学パワー補正を全く必要とせず、従って、これまで眼鏡を着用することを考えもしなかった人々に収束低減の医療的利益を届けることになる。この理由から、ゼロ又はほぼゼロの光学パワーの単眼視野眼鏡は、収束低減の医療的利益が更に届けられる人口セグメントを劇的に拡張することになる。
【００４３】
最後に、今日の視機能実務では、殆どの医師は、眼球緊張の原因に対して異なる理論を有しており、従って、眼球緊張又は眼精疲労を軽減するために非常に異なる治療及び手順を提供していることに言及しておく。多くの場合に、視機能医は、青色光フィルタを有する眼鏡に切り換えることを処方するか又は加湿器を使用することを提案する。従って、本明細書に説明する収束低減技術を有する眼鏡を処方することは、何が眼球緊張をもたらすかに関する非常に異なる医療的洞察と、今日の視機能専門家の大部分によって処方されるものとは純粋に異なる眼球緊張を軽減するための独創的な治療とに基づいている。
【００４４】
この特許明細書では、単眼視野レンズ又は単一視野レンズという用語を広義の意味に使用する。当然ながら、その範囲は、前面及び後面が各々単一曲率半径を有するレンズを含む。他に、この用語は、形状が単一曲率半径よりも大きい成分を有するレンズを含むことができる。一例は非球面成分であり、この場合に、成分は、ゼルニケ分解を含む異なる方式で定めることができる。一般的に、非球面成分は、レンズの光学歪みを補償するために導入される。取りわけ、有限のレンズ厚、屈折率の態様、及び軸から遠い場所での光線挙動といういくつかのファクタは、光学歪みをもたらす場合がある。非球面成分は、歪みを補償するためではなく、光学的利点を達成するために導入することができる。単眼視野という用語は、単一光学パワーをパワー中立利益（ｐｏｗｅｒ−ｎｅｕｔｒａｌ  ｂｅｎｅｆｉｔ）と組み合わせるレンズ形状を含むことができる。典型例は、対応する視野歪みを補償するために他の点では単一視野のレンズの中に導入される円柱収差、非点収差、又はコマ収差を含む。単一視野レンズの範囲は、遠近両用眼鏡を含まない。要約すると、本説明の収束低減レンズ１００では、遠見視力領域１１０又は近見視力領域１２０のうちの少なくとも一方は、非球面成分、パワー中立成分、円柱収差成分、コマ収差成分、又は非点収差成分を含むことができる。
【００４５】
以降の本文では、光源１１によって発せられた光又は交換可能に物体１１からの光の伝播を説明する。光源１１は、レーザポインタ又は光線２を能動的に発生させる別の指向性光源とすることができる。一部の他の実施形態では、物体１１は能動光源ではなく、代わりに入射光を収束低減レンズ１００に向う本説明の光２として反射する物体又はミラーとすることができ、この場合に、入射光は、どこか別の場所で発生する。光伝播の観点からは、これら２つの場合は交換可能とすることができる。物体１１又は光源１１は、収束低減レンズ１００のｘ−ｙ平面からｚ距離ｚo/sでのものとすることができる。
【００４６】
収束低減レンズ１００の実施形態では、遠見視力領域１１０は、遠見視力ｘ距離ｘPdでの遠見視力領域点Ｐdで光源１１又は物体１１によって向けられた光線２を座標系のｙ−ｚ平面と遠見視力凝視収束角度βdで交わるように屈折させるように構成することができ、それに対して近見視力領域１２０は、近見視力ｘ距離ｘPnでの近見視力領域点Ｐnで光源１１によって向けられた光線２をｙ−ｚ平面と近見視力凝視収束角度βnで交わるように屈折させるように構成することができる。収束低減レンズ１００のこれらの実施形態では、近見視力凝視収束角度βnは、遠見視力凝視収束角度βdよりも小さいとすることができる。一般的に、凝視収束角度βn/dでの屈折光２とｙ−ｚ平面との交差は、眼球−中心表現場所８で発生する。
【００４７】
凝視収束角度βd及びβnは、眼の凝視の収束を特徴付けて、従って、全屈折角度αのｘ成分であるαxと同じく眼の全３ｄ次元回転角度のｘ成分に対応することができる。
【００４８】
遠見視力領域１１０内の凝視収束角度βdと比較して近見視力領域１２０内の凝視収束角度βnの低減は、着用者が収束低減レンズ１００の近見視力領域１２０を通して物体１１を注視する時に、同じ物体をレンズ１００の遠見視力領域１１０を通して注視する場合と同じ程度まで眼をｚ軸３から離れるように回転させる必要はないことの第２の表現である。従って、収束低減レンズ１００の実施形態は、近見視力領域１２０を通して物体を注視する時に、同じ物体を対応するｙ高さでの遠見視力領域１１０を通して注視する場合と比較して又は類似の標準負パワーレンズ１０を通して注視する場合と比較したとしても着用者の凝視の収束角度αを確実に低減する。
【００４９】
収束低減レンズ１００の一部の実施形態では、遠見視力領域１１０は、遠見視力ｘ距離ｘPdでの遠見視力領域点Ｐdで光源１１によって向けられた又はそこからの光線２を遠見視力屈折角度αdだけ屈折させるように構成することができ、それに対して近見視力領域１２０は、近見視力ｘ距離ｘPnでの近見視力領域点Ｐnで光源１１によって向けられた又はそこからの光線２を近見視力屈折角度αnだけ屈折させるように構成することができる。収束低減レンズ１００のそのような実施形態では、近見視力屈折角度αnのｘ成分αnxは、遠見視力屈折角度αdのｘ成分αdxよりも大きいとすることができる。これは、着用者が近見視力領域１２０を通して物体１１を注視している時に、同じ物体１１を適切なｙ高さでの遠見視力領域１１０を通して注視する場合と比較してレンズ１００が凝視収束βを低減していることの第３の表現である。
【００５０】
収束低減レンズ１００の凝視収束低減態様の上記３つの関連表現は、図５Ｂの四角取り囲み不等式として説明される。これらの不等式を本明細書にも次式のように再記する。
ｘPn＜ｘPd              （４）
βn＜βd                （５）、及び
αdx＜αnx              （６）
【００５１】
上式の全ては、固定された同じ物体又は光源、距離ｚo/sに対するものである。収束低減レンズ１００の実施形態は、これら３つの不等式（４）〜（６）のうちの少なくとも１つを満足する。
【００５２】
収束低減レンズ１００の実施形態の以上の説明は、レンズが収束低減レンズであるか否かを決定するための審査プロトコルも明確に表現している。
【００５３】
（１）レンズの着用者がレンズの遠見視力領域を通して物体を注視している時に、上述の距離ｘPd、並びに角度αdx及びβdを測定し、次に、着用者がレンズの対応する近見視力領域を通して注視する時に対応する距離ｘPn、並びに角度αnx及びβnを測定し、更に測定された角度及び距離を比較してこれらが上述の不等式（４）〜（６）のうちの少なくとも１つを満足するか否かを検証することができる。角度変化が小さいレンズでは、これらの小さい変化及び差を検出して着用者の凝視角度の変化を決定するために眼球追跡システム又は眼球撮像システムを使用することができる。
【００５４】
（２）着用者の凝視の角度及び方向を測定する代わりに、現実的なパラメータを有する眼球モデルを使用することができる。眼球モデルは、ｙ軸の周りに回転可能であり、眼球−中心表現場所８に配置された約２０〜２５ｍｍ、例えば、２４ｍｍの直径の円形ディスクを含むことができる。眼球モデルの前部は、レンズ１００の１０〜１５ｍｍ背後に、眼球−中心表現場所８は、レンズ１００の２０〜３０ｍｍ背後に配置することができる。眼球モデルは、約４０〜４５Ｄの角膜の光学パワーに約１５〜２５Ｄの眼球水晶体７の光学パワーを加えたものにほぼ等しい全光学パワーを有する適切なモデルレンズを含むことができる。レーザポインタのような指向性光源又はその均等物を光源１１の代わりに配備することができる。その光は、審査されるレンズの遠見視力領域に、次に、別個に近見視力領域に向けることができる。眼球モデルは、両方の場合にモデルレンズによる屈折の後に光が眼球モデルの眼球−中心表現場所８を通過するように適切に回転させることができる。次に、不等式（４）〜（６）の上述した角度及び距離を測定し、これら３つの不等式のうちの少なくとも１つが審査されるレンズに適用されるか否かを決定することができる。
【００５５】
（３）最後に、着用者の眼を必要としないか又は眼球モデルさえも必要としない測定は、審査されるレンズが収束低減レンズ１００の実施形態であるか否かを決定するのに十分である可能性もある。光源１１の位置からレンズにレーザポインタをその光がレンズによる屈折の後にｚ軸３に沿ってレンズ１００の中心の約２０〜３０ｍｍ背後にある眼球−中心表現場所８の候補点を通って伝播するように向けることによって固定光学テーブル上のレンズを審査することができる。この光の伝播は、例えば、光源１１と反対側のレンズ１００のｙ−ｚ平面にスクリーンを実施することによって追跡することができる。レーザポインタ１１の光は、審査されるレンズの遠見視力領域に、更に続けて審査されるレンズの近見視力領域を通して、両方の場合の屈折光が眼球中心８に対応する座標系の中心から同じｚ距離でｙ−ｚ平面と交わることを確保しながら誘導することができる。上述のように、そのような相当場所は、ｚ軸３上のレンズ中心の２０〜３０ｍｍ背後にあるとすることができる。遠見視力領域、次に、近見視力領域に向けられた光に関して上記で議論した角度及び距離が測定された後に、図５Ｂに説明して上記で不等式（４）〜（６）において議論した３つの不等式のうちの少なくとも１つが測定された角度及び距離に関して成り立つ場合はレンズは収束低減レンズ１００の実施形態である。
【００５６】
上記に列記した審査プロトコル（１）〜（３）において光線を光源１１又は光源８ｒによって遠見視力領域１１０から近見視力領域１２０に経路変更する時に、図５Ａ〜図５Ｂの眼球−中心表現場所８の「対応するｙ高さ」又は図５Ｃ〜図５Ｄの像１１ｒ（集合的に、像）を調節する段階を以下の通りに様々な方法を用いて実施することができる。（１）着用者は、凝視方向を固定の収束低減レンズ１００の遠見視力領域１１０から近見視力領域１２０に変更することができ、（２）眼球モデルの光軸を傾斜させることができ、又は（３）レーザポインタの方向を変更することができる。これらのプロトコルは、収束低減レンズ１００のｙ高さ、並びに物体／光源１１又は光源８ｒ（集合的に、光源）のｙ高さを固定状態に保つ。この部類のプロトコルは、不等式（４）〜（６）のうちのいずれか１つが審査されるレンズによって満足されるか否かを審査するための「像−調節プロトコル」と呼ばれる場合がある。
【００５７】
しかし、これらの場合の各々に関して、像又は光源のｙ高さの代わりに収束低減レンズ１００のｙ高さを光源及び画像のｙ高さを固定されたままに保ちながらレンズ自体を昇降させることによって調節する類似の代わりの「レンズ−調節プロトコル」を定めて実施することができる。これらのプロトコルでは、近見視力領域１２０の眼球−中心表現場所８の「対応するｙ高さ」は、遠見視力領域１１０に関しても同じである。これらのレンズ−調節プロトコルは、不等式（４）〜（６）のうちのいずれか１つが審査されるレンズによって満足され、従って、収束低減レンズ１００の実施形態を均等であるように取り込んでいるか否かを審査するために使用することができる。
【００５８】
第３の部類の代替的「光源−調節プロトコル」は、像と収束低減レンズ１００の両方のｙ高さを固定されたままに保ち、代わりに光源のｙ高さを調節する。ここでもまた、これらの光源−調節プロトコルは、不等式（４）〜（６）のうちのいずれか１つが審査されるレンズによって満足され、従って、収束低減レンズ１００の実施形態を均等であるように取り込んでいるか否かを審査するために使用することができる。
【００５９】
要約すると、収束低減レンズ１００又は眼球緊張低減レンズ１００の実施形態では、像−調節プロトコル、レンズ−調節プロトコル、又は光源−調節プロトコルのうちの少なくとも１つによって決定された近見視力ｘ距離ｘPnは、遠見視力ｘ距離ｘPdよりも小さいとすることができる。更に他の審査プロトコルを図５Ｃ〜図５Ｄ及び図７Ａ〜図７Ｄに関して以下に説明する。
【００６０】
収束低減レンズ１００は領域１４０を含むことができ、漸変領域１４０内では、漸変領域点Ｐｐのｘ距離であるｘPp、漸変領域凝視収束角度βP、又は漸変領域屈折角度のｘ成分αpxのうちの少なくとも１つが、その近見視力領域値と遠見視力領域値との間で遷移する。数式的には、漸変領域１４０内では不等式ｘPn＜ｘPp＜ｘPd、βn＜βp＜βd、又はαdx＜αpx＜αnxのうちの少なくとも１つが成り立つ。そのような漸変領域１４０の例を図７Ａ〜図７Ｂにおいてある程度詳細に以下に説明する。
【００６１】
図５Ａ〜図５Ｂは、物体／光源１１は、収束低減レンズ１００の半径よりも大きい座標系のｚ軸３からの光源ｘ距離、及び１０ｃｍと１００ｃｍの間の光源ｚ距離に位置付けられた近い物体とすることができることを示している。そのような偏心、軸外の光源１１は、図示の眼鏡着用者の鼻に位置合わせされた近い物体の良好な表現とすることができる。
【００６２】
図５Ｃ〜図５Ｄは、収束低減レンズ１００の更に別の態様を示している。図５Ｃ〜図５Ｄの実施形態の特徴付けは、図５Ａ〜図５Ｂとほぼ同様である。これらの特徴付けは、伝播する光線２の経路の可逆性によって促進される。図５Ｃ〜図５Ｄの光源及び像が図５Ａ〜図５Ｂの光源及び像に経路反転によって関連することを示すために、追加「ｒ」を有する対応するラベルを使用する。
【００６３】
これらの序論的考察を念頭に置き、収束低減レンズ１００の一部の実施形態は、座標系の中心から遠見視力ｘ距離ｘPdでの遠見視力領域点Ｐdで光源８ｒによって向けられた光線２を像点１１ｒに伝播するように屈折させるように構成されて負の遠見視力光学パワーを有する遠見視力領域１１０を有することができる。ある意味では図５Ａ〜図５Ｂの実施形態の物体／光源１１の反転対である像点１１ｒは、レンズ１００のｘ−ｙ平面からｚ距離ｚIに位置することができる。ある意味では図５Ａ〜図５Ｂの実施形態の眼球−中心表現場所８の反転対である光源８ｒは、ｚ軸３上で座標系の中心から光源ｚ距離ｚsに位置することができる。
【００６４】
収束低減レンズ１００のこの実施形態は、座標系の中心から近見視力ｘ距離ｘPnでの対応するｙ高さでの近見視力領域点Ｐnで座標系の中心から同じ光源ｚ距離ｚsに位置付けられた光源８ｒによって向けられた光線２を像点１１ｒのｘ−ｚ場所に伝播するように屈折させるように構成されて０．５Ｄ内で遠見視力光学パワーに適合する近見視力光学パワーを有する近見視力領域１２０を更に含むことができる。これらの実施形態では、図５Ａ〜図５Ｂの実施形態の不等式（４）と同様に、近見視力ｘ距離ｘPnは、遠見視力ｘ距離ｘPdよりも小さいとすることができる。
【００６５】
図５Ｃの像点１１ｒのｘ−ｚ場所と図５Ｄの像点１１ｒのｘ−ｚ場所とは（少なくともほぼ）同じであり、一方、遠見視力領域１１０のｙ高さと近見視力領域１２０のｙ高さとが異なるので、対応するｙ高さは異なる。図５Ａ〜図５Ｄは、これらの実施形態をｘ−ｚ断面に示しており、これらの像点１１ｒの適合するｘ−ｚ場所のみを示している。
【００６６】
先に議論したように、一部の実施形態では、遠見視力領域１１０から近見視力領域１２０に切り換える時に光線２のｙ方向角度を調節しなくてもよいように、像点１１ｒのｙ高さの代わりに、収束低減レンズ１００のｙ高さを調節する類似のプロトコルを定めることができる。最後に、更に他の代替実施形態では、光線２を遠見視力領域１１０から近見視力領域１２０に経路変更する時に、収束低減レンズ１００及び像点１１ｒのｙ高さを維持しながら光源８ｒのｙ高さを調節することができる。上述の場合のように、像−調節プロトコル、レンズ−調節プロトコル、及び光源−調節プロトコルは、収束低減レンズ１００の密接に関連する実施形態を定めることができる。
【００６７】
一部の実施形態では、遠見視力領域１１０は、光源８ｒが光線２を座標系のｙ−ｚ平面に対して遠見視力凝視収束角度βdで誘導することによって遠見視力領域点Ｐdでの屈折を通して像点１１ｒに伝播するように光線２を誘導することができるように構成することができ、近見視力領域１２０は、光源８ｒが光線２を座標系のｙ−ｚ平面に対して近見視力凝視収束角度βnで誘導することによって近見視力領域点Ｐnでの屈折を通して像点１１ｒのｘ−ｚ場所に伝播するように光線２を誘導することができるように構成することができる。これらの実施形態では、上述の不等式（５）と同様に、近見視力凝視収束角度βnは、遠見視力凝視収束角度βdよりも小さいとすることができる。
【００６８】
一部の実施形態では、遠見視力領域１１０は、遠見視力領域点Ｐdで光源８ｒによって向けられた光線２を像点１１ｒに伝播するように遠見視力屈折角度αdだけ屈折させるように構成することができる。近見視力領域１２０は、近見視力領域点Ｐnで光源８ｒによって向けられた光線２を像点１１ｒのｘ−ｚ場所に伝播するように近見視力屈折角度αnだけ屈折させるように構成することができる。実施形態では、上述の不等式（６）と同様に、近見視力屈折角度αnのｘ成分であるαnxは、遠見視力屈折角度αdのｘ成分であるαdxよりも大きいとすることができる。
【００６９】
ここでもまた、収束低減レンズ１００は漸変領域１４０を含むことができ、漸変領域１４０内では、漸変領域点Ｐｐのｘ距離であるｘPp、漸変領域凝視収束角度βP、及び漸変領域屈折角度のｘ成分αpxのうちの少なくとも１つは、その近見視力領域値と遠見視力領域値の間で遷移する。
【００７０】
図７Ａ〜図７Ｂは、ｚ軸方向にレンズのｘ−ｙ平面に面する収束低減レンズ１００の実施形態の前面図を示している。図７Ａは、収束低減レンズ１００のαx屈折角度等高線を示している。図示の収束低減レンズ１００では、遠見視力領域１１０内の屈折角度αのｘ成分であるαdxは式（３）に従い、それに対して近見視力領域１２０内の屈折角度αのｘ成分であるαnxは、＋０．４ｒＤ（屈折ジオプトリ）のシフトを下鼻側四分円内に導入し、すなわち、αnx＝αdx＋０．４ｒＤ又は同等的にΔαnx＝＋０．４ｒＤである。これは、近見視力領域１２０内の垂直αx等高線が遠見視力領域１１０内で２本の線だけ右にシフトしたαx等高線に位置合わせされていることで理解することができる。
【００７１】
収束低減レンズ１００は漸変領域１４０を含むことができ、漸変領域１４０内では、屈折角度のｘ成分αpxが、遠見視力領域１１０に関するαdx値から近見視力領域１２０に関するαnx値に変化する。漸変領域１４０は、その中の屈折角度αのｘ成分であるαpxがαdxとαnxの間を滑らかに補間するように、すなわち、αdx＜αpx＜αnxであるように成形される。更に、この漸変領域１４０は、少なくとも部分的に遠見視力領域１１０と近見視力領域１２０の間で漸変ｘ距離ｘPpでの漸変領域点Ｐpで光源１１によって向けられた光線２を眼球−中心表現場所８に伝播するように屈折させるように構成することができ、この場合に、漸変ｘ距離ｘPpは、近見視力ｘ距離ｘPnと遠見視力ｘ距離ｘPdの間にあるものとし、すなわち、ｘPn＜ｘPp＜ｘPdとすることができる。最後に、従って、漸変領域１４０の凝視収束角度βpも、遠見視力領域１１０内の凝視収束角度値と近見視力領域１２０内の凝視収束角度値との間を滑らかに補間し、すなわち、βn＜βp＜βdとすることができる。
【００７２】
図７Ｂは、図７Ａの収束低減レンズ１００内の光学パワーの等ジオプトリ等高線を示している。収束低減レンズ１００の一部の実施形態では、遠見視力領域１１０は、Ｄジオプトリの遠見視力負光学パワーを有することができる。近見視力領域１２０は、０．５Ｄ内で遠見視力光学パワーに適合する近見視力光学パワーを有することができ、遷移領域は、遠見視力領域１１０と近見視力領域１２０を接続することができる。一部の実施形態では、近見視力光学パワーは、０．２５Ｄ内で遠見視力光学パワーに適合することができる。漸変パワーレンズでは、遷移領域は、遠見視力光学パワーと、それとは異なる近見視力光学パワーとの間で光学パワーを滑らかに補間し、それによって光学歪みを低減するために導入される。この収束低減レンズ１００では、遷移領域の原点は異なり、その光学パワーは、光学パワー変化によって必要とされず、この変化は、変化する漸変領域屈折角度αpxだけによって誘起される。図示の事例では、遷移領域の場所は主として鼻側にあり、従って、鼻側遷移領域１３０ｎと表示している。一部の実施形態では、遷移領域は、鼻側と側頭側の両方の領域を有することができる。一般的に、図７Ａの漸変領域１４０は、図７Ｂの鼻側遷移領域１３０ｎと相関だけはするが、必ずしも一致するとは限らない。
【００７３】
一部の実施形態では、近見視力領域１２０の面積は、５ｍｍ2よりも大きいとすることができる。一部の実施形態では、近見視力領域１２０の面積は、１０ｍｍ2よりも大きいとすることができる。
【００７４】
図８Ａ〜図８Ｃは、収束低減眼鏡１００’の様々な設計を示している。一般的に、近見視力領域１２０の大部分は、収束低減レンズ１００の下鼻−下位鼻側四分円を占有することができる。一部の実施形態では、近見視力領域１２０の小さい部分は、図示のように下側頭側四分円にも延びることができる。
【００７５】
図８Ａは、一部の実施形態では近見視力領域１２０を長円形とすることができることを示している。図８Ｂは、四分円として成形された近見視力領域１２０を示している。最後に、図８Ｃは、チャネル状の近見視力領域１２０を示している。他の実施形態では、近見視力領域１２０は、三角形、四角形、細長領域、対角領域、又は通路状を含む追加の形状を有することができる。更に他の実施形態では、近見視力領域は、実質的に円形又は下向きＤ字形状とすることができる。
【００７６】
図９Ａ〜図９Ｂは、収束低減レンズ１００の上述した特性に関して与えることができ、特に、上述の３つの不等式（４）〜（６）のうちの少なくとも１つを満足するレンズ１００の構成及び設計を示す収束低減レンズ１００の２つの実施形態を示している。
【００７７】
図９Ａは、収束低減レンズ１００の実施形態が、遠見視力領域１１０内の座標系の中心から鼻側ｘ距離で前面１４０ｆに接する遠見視力前側タンジェンシャル１４５ｆｄと、近見視力領域１２０内の同じ鼻側ｘ距離であるが一般的により低い対応するｙ高さでの前面１４０ｆに接する近見視力前側タンジェンシャル１４５ｆｎとを有する前面１４０ｆを含むことができることを示している。（透視目的で、タンジェンシャルは、ラベルのみで区別している。）収束低減レンズ１００は、遠見視力領域１１０内の同じｘ距離で後面１４０ｒに接する遠見視力後側タンジェンシャル１４５ｒｄと、近見視力領域１２０内の同じｘ距離であるがより低い対応するｙ高さでの後面１４０ｒに接する近見視力後側タンジェンシャル１４５ｒｎとを有する後面１４０ｒを更に含むことができる。これら４つのタンジェンシャル１４５を破線に示している。遠見視力前側タンジェンシャル１４５ｆｄと遠見視力後側タンジェンシャル１４５ｒｄは、遠見視力領域収束角度γdvrを成し、それに対して近見視力前側タンジェンシャル１４５ｆｎと近見視力後側タンジェンシャル１４５ｒｎは、近見視力領域収束角度γnvrを成す。図９Ａでは、近見視力領域１２０内の前面及び後面１４０ｆ及び１４０ｒは、遠見視力領域１１０に対してレンズ１００の中心の近くで内向きに回転され、従って、近見視力領域収束角度γnvrは、次式のように遠見視力領域収束角度γdvrよりも大きい。
γdvr＜γnvr              （７）
【００７８】
この不等式は、３つの不等式（４）〜（６）のうちの少なくとも１つを達成する収束低減レンズ１００を設計する１つの方法である。いくつかの他の設計も、この不等式に従うことができる。一部の場合に、不等式（７）での角度の不等は、タンジェンシャルのうちの１つだけが異なること、例えば、近見視力前側タンジェンシャル１４５ｆｎを遠見視力前側タンジェンシャル１４５ｆｄに対して内向きに回転させ、一方で後側タンジェンシャル１４５ｒｎと１４５ｒｄとが同じであることによってのみ達成することができる。
【００７９】
一部の場合に、収束低減レンズ１００は、図示のようにメニスカスレンズ１００とすることができる。これらの角度γnvr及びγdvrは、タンジェンシャルが面１４０ｒ及び１４０ｆに適合した場所のｘ距離に依存し、すなわち、γnvr＝γnvr（ｘ）及びγdvr＝γdvr（ｘ）であることにも注意されたい。角度γnvrとγdvrは、座標系の中心から同じ鼻側ｘ距離で決定及び比較されることになる。
【００８０】
図９Ｂは、不等式（４）〜（６）のうちの少なくとも１つを別の方式で達成する収束低減レンズ１００の別のレンズ設計を示している。この設計では、次式が成り立つ。
γnvr＝γdvr              （８）
【００８１】
面タンジェンシャルを修正する代わりに、これらの実施形態では、遠見視力領域１１０が遠見視力ｚ軸３を有し、近見視力領域１２０が近見視力ｚ軸３を有し、近見視力ｚ軸３は、遠見視力ｚ軸３に対して鼻方向に傾斜、回転、又は捻転される。この捻転は、＋ｙ軸方向からレンズの上を見下ろした状態で例示している。遠見視力領域１１０が必然的に位置付けられたレンズ１００の最も高いｙ高さでの遠見視力ｚ軸３は、全体のレンズｚ軸３に対して実質的に平行である。近見視力領域１２０が必然的に位置付けられたより低いｙ高さに向けて推移すると、レンズのｘ−ｙ平面は、ｚ軸３が鼻方向に回転されるように回転される。回転又は捻転された断面のうちの２つを図９Ｂに示している。中間の断面は、漸変領域１４０に対応することができ、最も捻転された断面は、捻転された近見視力ｚ軸を有する近見視力領域１２０に対応することができる。別の表現では、近見視力領域１２０内のｚ軸３は、遠見視力領域１１０内のｚ軸３に対して反時計方向に回転される。
【００８２】
図９Ｂの実施形態の製造工程は、望ましい光学パワーを有するレンズを形成し、次に、その材料が意図する近見視力領域１２０内で収束低減レンズ１００及びそのｚ軸３の望ましい程度の捻転を可能にする程度まで軟化するまでレンズを加温する段階を含むことができるので、この工程は顕著に容易なものとすることができることに注意されたい。言うまでもなく、一部の収束低減レンズ１００は、図９Ａの実施形態と図９Ｂの実施形態とを組み合わせることによって形成することができる。
【００８３】
次に、図６Ａ〜図６Ｄの実施形態を以下に説明する。図６Ａは、収束低減レンズ１００の実施形態が、座標系のｙ−ｚ平面からｘ距離ｘPdでの遠見視力領域点Ｐdでｚ軸３と平行に向けられた光線２をその延長（破線）が遠見視力交点ｚ距離ｚIdでのｙ−ｚ平面と交わるように屈折させるように構成されて負遠見視力光学パワーを有する遠見視力領域１１０を含むことができることを示している。更に、収束低減レンズ１００は、遠見視力領域点ＰdのｘPdに等しいｘ距離ｘPn、すなわち、ｘPn＝ｘPdでの対応するｙ高さでの近見視力領域点Ｐnでｚ軸３と平行に向けられた光線２をその延長が次式のように遠見視力交点ｚ距離よりも小さい近見視力交点ｚ距離ｚInでのｙ−ｚ平面と交わるように屈折させるように構成されて０．５Ｄ内で遠見視力光学パワーに適合する近見視力光学パワーを有する近見視力領域１２０を含むことができる。
ｚIn＜ｚId              （９）
【００８４】
収束低減レンズ１００の一部の実施形態では、遠見視力領域１１０は、ｘ距離ｘPdでの遠見視力領域点Ｐdでｚ軸３と平行に向けられた光線２を遠見視力屈折角度αdだけ屈折させるように構成することができる。近見視力領域１２０は、ｘ距離ｘPn（ｘPn＝ｘPd）での対応するｙ高さでの近見視力領域点Ｐnでｚ軸３と平行に向けられた光線２を近見視力屈折角度αnだけ屈折させるように構成することができる。実施形態では、近見視力屈折角度αnのｘ成分であるαnxは、次式のように遠見視力屈折角度αdのｘ成分であるαdxよりも大きいとすることができる。
αdx＜αnx              （１０）
【００８５】
ここで及び以下では、屈折角度α及び凝視収束角度βは、角度の大きさを指す。収束低減レンズ１００の一部の実施形態では、遠見視力領域１１０は、ｘ距離ｘPdでの遠見視力領域点Ｐdでｚ軸３と平行に向けられた光線２をその延長がｙ−ｚ平面と遠見視力凝視収束角度βdで交わるように屈折させるように構成することができる。近見視力領域１２０は、同じｘ距離ｘPn＝ｘPdでの対応するｙ高さでの近見視力領域点Ｐnでｚ軸３と平行に向けられた光線２をその延長がｙ−ｚ平面と近見視力凝視収束角度βnで交わるように屈折させるように構成することができる。実施形態では、近見視力凝視収束角度βnは、次式のように遠見視力凝視収束角度βdよりも大きいとすることができる。
βd＜βn              （１１）
【００８６】
不等式（９）〜（１１）は、図５Ａ〜図５Ｂの実施形態を特徴付ける不等式（４）〜（６）と同じく図６Ａ〜図６Ｂの実施形態を特徴付ける。収束低減レンズ１００の実施形態は、３つの不等式（９）〜（１１）のうちの少なくとも１つを満足することができる。
【００８７】
ここでもまた、収束低減レンズ１００の実施形態は、遠見視力領域点のｘ距離と同じｘ距離ｘPpでの漸変領域点Ｐp、すなわち、ｘPp＝ｘPn＝ｘPdでｚ軸３と平行に向けられた光線をその延長が近見視力交点ｚ距離ｚInと遠見視力交点ｚ距離ｚIdの間にある漸変交点ｚ距離ｚIp、すなわち、ｚIn＜ｚIp＜ｚIdでのｙ−ｚ平面と交わるように屈折させるように構成された漸変領域１４０を少なくとも部分的に遠見視力領域１１０と近見視力領域１２０の間に更に含むことができる。
【００８８】
図６Ｃ〜図６Ｄは、一部の必要な調節を加えているが、光線２の経路を反転することによって図６Ａ〜図６Ｂの実施形態に関連する実施形態を説明している。図６Ｃは、収束低減レンズ１００の実施形態が、座標系のｙ−ｚ平面からｘ距離ｘPdでの遠見視力領域点Ｐdでｚ軸３上の座標系の中心から交点ｚ距離ｚIdに位置付けられた光源１５ｒによって向けられた光線２をｙ−ｚ平面との遠見視力光収束角度δdを構成するように屈折させるように構成されて負遠見視力光学パワーを有する遠見視力領域１１０を含むことができることを示している。更に、レンズ１００は、座標系のｙ−ｚ平面から遠見視力点Ｐdのｘ距離と同じｘ距離ｘPn、すなわち、ｘPn＝ｘPdでの対応するｙ高さでの近見視力領域点Ｐnで光源１５ｒによって向けられた光線２をｙ−ｚ平面との近見視力光収束角度δnを構成するように屈折させるように構成されて０．５Ｄ内で遠見視力光学パワーに適合する近見視力光学パワーを有する近見視力領域１２０を含むことができる。この場合に、光源１５ｒは、ｚIdと同じ交点ｚ距離ｚIn、すなわち、ｚIn＝ｚIdでのものとすることができる。従って、遠見視力凝視収束角度βdも、近見視力凝視収束角度βnに等しく、すなわち、βd＝βnである。そのような実施形態では、近見視力光収束角度δnのｘ成分であるδnxは、次式のように遠見視力光収束角度δdのｘ成分であるδｄxよりも大きいとすることができる。
δdx＜δnx              （１２）
【００８９】
相応に、収束低減レンズ１００の一部の実施形態では、遠見視力領域１１０は、座標系のｙ−ｚ平面からのｘ距離であるｘPdでの遠見視力領域点Ｐdで光源１５ｒによって向けられた光線２を遠見視力屈折角度αdだけ屈折させるように構成することができる。更に、近見視力領域１２０は、座標系のｙ−ｚ平面からのｘ距離であるｘPnでの近見視力領域点Ｐnでの光源１５ｒによって向けられた光線２を近見視力屈折角度αnだけ屈折させるように構成することができる。実施形態では、近見視力屈折角度αnのｘ成分であるαnxは、次式のように遠見視力屈折角度αdのｘ成分であるαdxよりも大きいとすることができる。
αdx＜αnx              （１３）
【００９０】
不等式（１２）〜（１３）は、図５Ｃ〜図５Ｄの実施形態を特徴付ける不等式（４）〜（６）と同じく図６Ｃ〜図６Ｄの実施形態を特徴付ける。図５Ａ〜図５Ｄの実施形態の開示するいくつかの特性は、図６Ａ〜図６Ｄの実施形態にも適用される。
【００９１】
図１０Ａ〜図１０Ｂは、眼球緊張低減レンズ１００又は収束低減レンズ１００の更に他の実施形態を示している。これらの実施形態は、レンズ面の曲率、及びその対応する曲率中心の偏心場所の記述によって特徴付けることができる。ある程度詳述すると、眼球緊張低減レンズ１００又は収束低減レンズ１００の実施形態は、ｚ軸３を定める収束低減レンズの中心法線を有することができる。ｚ軸３は、一般的に遠見視力領域１１０のｚ軸３でもある。収束低減レンズ１００の中心領域は、タンジェンシャル中心ｘ−ｙ平面を更に含むことができる。ｚ軸３とｘ−ｙ平面とは、互いにｘ−ｙ−ｚ座標系を定める。
【００９２】
収束低減レンズ１００は、曲率半径Ｒdfと遠見視力前側曲率中心ＣＣdfとを有する遠見視力前面１４０ｄｆと、曲率半径Ｒdrと遠見視力後側曲率中心ＣＣdrとを有する遠見視力後面１４０ｄｒとを有する負遠見視力光学パワーを有する上述の遠見視力領域１１０を含むことができる。更に、収束低減レンズ１００は、曲率半径Ｒnfと近見視力前側曲率中心ＣＣnfとを有する近見視力前面１４０ｎｆと、曲率半径Ｒnrと近見視力後側曲率中心ＣＣnrとを有する近見視力後面１４０ｎｒとを有する遠見視力光学パワーの０．５Ｄの範囲の光学パワーを有する近見視力領域１２０を含むことができ、この場合に、近見視力前側曲率中心のｘ座標ｘ（ＣＣnf）は、遠見視力前側曲率中心のｘ座標ｘ（ＣＣdf）に対して鼻側にあるとすることができ、又は近見視力後側曲率中心のｘ座標ｘ（ＣＣnr）は、遠見視力後側曲率中心のｘ座標ｘ（ＣＣdr）に対して側頭側にあるとすることができる。上述の属性を不等式で表し、かつ右の側頭方向に位置付けられた点が左の鼻方向に位置付けられた点よりも大きいｘ座標を有するようなｘ軸の方向性を用いると、これらの条件は、次式のように書くことができる。
ｘ（ＣＣnf）＜ｘ（ＣＣdf）              （１４）、又は
ｘ（ＣＣnr）＞ｘ（ＣＣdr）              （１５）
【００９３】
図１０Ａは、一部の典型的な実施形態では、遠見視力面１４０ｄｆ及び１４０ｄｒのＣＣdf前側及びＣＣdr後側の曲率中心がｚ軸３上に位置し、従って、そのｘ座標はゼロであることを示す。数式表現では、ｘ（ＣＣdf）＝ｘ（ＣＣdr）＝０である。そのような実施形態では、収束低減レンズ１００は、近見視力前側曲率中心ＣＣnfのｘ座標であるｘ（ＣＣnf）が座標系のｚ軸３に対して鼻側にあり、すなわち、次式が成り立つように構成することができる。
ｘ（ＣＣnf）＜０              （１６）、又は
【００９４】
近見視力後側曲率中心のｘ座標であるｘ（ＣＣnr）が座標系のｚ軸３に対して側頭側にあり、すなわち、次式が成り立つように構成することができる。
ｘ（ＣＣnr）＞０              （１７）
【００９５】
この意味では、収束低減レンズ１００の実施形態は、軸外曲率中心レンズである。上述の場合のように、近見視力領域１２０、及びその面１４０ｎｆ及び１４０ｎｒに対応するｙ高さは、遠見視力領域１１０、及びその面１４０ｄｆ及び１４０ｄｒのｙ高さよりも低いとすることができる。
【００９６】
上述した曲率中心の座標及びｘ距離ｘ（ＣＣnf）、ｘ（ＣＣnr）、ｘ（ＣＣdf），及びｘ（ＣＣdr）は、球面計及びレンズ表面形状測定計のような専用ツール及びデバイスを用いて決定することができる。
【００９７】
収束低減レンズ１００の設計は、曲率中心が軸外であるにも関わらず、近見視力領域１２０の光学パワーが遠見視力領域１１０の光学パワーに０．５Ｄ内で適合することを達成することができる。これは、光学パワーが第１近似で曲率中心の場所ではなくレンズの前面及び後面の曲率半径だけによって与えられ、すなわち、光学パワー（遠見視力）＝ｆ（Ｒdf，Ｒdr）及び光学パワー（近見視力）＝ｆ（Ｒnf，Ｒnr）であることによる。薄肉レンズ近似では、光学パワーは、ｆ（Ｒ1，Ｒ2）＝（ｎ−１）（１／Ｒ1−１／Ｒ2）に比例する。ｆ（Ｒnf，Ｒnr）＝ｆ（Ｒdf，Ｒdr）が成り立つ限り、２つの領域内の光学パワーは、最高次近似で適合する。
【００９８】
収束低減レンズ１００の設計は、近見視力領域１２０の光学パワーを対応する曲率の半径を操作しないことによって遠見視力領域１１０の光学パワーと実質的に等しいままにしておくことができるが、依然として曲率中心を収束低減レンズ１００のｚ軸３の外に移動することによって近見視力屈折角度を遠見視力屈折角度に対して調節及び操作することができるという認識の上に構成されるものとして見ることができる。より簡潔には、収束低減レンズ１００の設計では、近見視力領域１２０の光学パワーが遠見視力領域１１０の光学パワーと適合した状態に留まることを維持しながら、遠見視力領域１１０の屈折角度αdxとは異なる近見視力領域１２０の屈折角度αnxを形成することができる。これら２つの領域の屈折角度と光学パワーは、偏心変位の最高次で互いに独立に相対的に調節可能である。
【００９９】
これらの収束低減レンズ１００の一部の実施形態は、以下の通りに更に特徴付けることができる。図９Ａを参照して、遠見視力前面１４０ｄｆと遠見視力後面１４０ｄｒは、座標系の中心からｘ距離に遠見視力面収束角度γdvrを定めることができ、近見視力前面１４０ｎｆと近見視力後面１４０ｎｒは、座標系の中心から同じｘ距離の対応するｙ高さに近見視力面収束角度γnvrを定めることができ、この場合に、実施形態では、近見視力面収束角度は、次式のように遠見視力面収束角度よりも大きい。
γdvr＜γnvr              （１８）
【０１００】
図１０Ａ〜図１０Ｂの軸外曲率中心収束低減レンズ１００は、図５〜図９に関して上述した実施形態によって更に特徴付けられてこれらと組み合わせることができる。
【０１０１】
レンズ後面１４０ｎｒのみを修正して近見視力後面１４０ｎｒを生成すること、レンズ前面１４０ｎｆのみを修正して近見視力前面１４０ｎｆを生成すること、又はこれら両方を行うことにより、図５〜図１０の収束低減レンズ１００の近見視力領域１２０を形成することができることに注意されたい。
【０１０２】
近見視力領域１２０は、様々な方法によって形成することができる。一部の技術は、自由形状発生器又は５軸発生器を使用することができる。他の技術は、３次元（３Ｄ）プリンタを使用することができる。最後に、一部の場合に、近見視力領域１２０の形状が遠見視力領域１１０と異ならないことが可能である。代わりに、レンズ材料の屈折率ｎをこれらの領域内で別様に調整することにより、これらの領域の異なる光学性能を達成することができる。例えば、近見視力領域１２０内の屈折率であるｎnを遠見視力領域内の屈折率ｎdよりも大きくし、すなわち、ｎn＞ｎdとすることができる。収束低減レンズ１００のそのような実施形態は、図５〜図１０に関して上述した光学性能のうちの多くを与えることができる。一部の場合に、屈折率ｎのそのような変化は、レンズのモールド成形工程中に電界を印加することによって達成することができる。
【０１０３】
本明細書は多くの詳細を含有するが、これらは、本発明の又は主張することができるものの範囲に対する限定と解釈すべきではなく、本発明の特定の実施形態に固有の特徴の説明として解釈しなければならない。本明細書に別々の実施形態の状況で上述したある一定の特徴は、単一実施形態に組み合わせて実施することができる。それとは逆に、単一実施形態の状況で上述した様々な特徴は、複数の実施形態に別々に又はあらゆる適切な部分組合せに実施することができる。更に、上記では複数の特徴は、ある一定の組合せで作用するものとして説明された場合があり、最初にそのように主張することさえ可能であるが、一部の場合では主張する組合せからの１又は２以上の特徴は、組合せから削除することができ、主張する組合せは、部分組合せ又は部分組合せの変形に向けることができる。
【符号の説明】
【０１０４】
２  光
３  レンズ−光軸／ｚ軸
１１  物体／光源
１５ｎ  近見視力交点
１００  収束低減レンズ
【図１Ａ】
2021509728.tif 000003
【図１Ｂ】
2021509728.tif 000004
【図２Ａ】
2021509728.tif 000005
【図２Ｂ】
2021509728.tif 000006
【図２Ｃ】
2021509728.tif 000007
【図３Ａ】
2021509728.tif 000008
【図３Ｂ】
2021509728.tif 000009
【図４Ａ】
2021509728.tif 000010
【図４Ｂ】
2021509728.tif 000011
【図５Ａ】
2021509728.tif 000012
【図５Ｂ】
2021509728.tif 000013
【図５Ｃ】
2021509728.tif 000014
【図５Ｄ】
2021509728.tif 000015
【図６Ａ】
2021509728.tif 000016
【図６Ｂ】
2021509728.tif 000017
【図６Ｃ】
2021509728.tif 000018
【図６Ｄ】
2021509728.tif 000019
【図７Ａ】
2021509728.tif 000020
【図７Ｂ】
2021509728.tif 000021
【図８Ａ】
2021509728.tif 000022
【図８Ｂ】
2021509728.tif 000023
【図８Ｃ】
2021509728.tif 000024
【図９Ａ】
2021509728.tif 000025
【図９Ｂ】
2021509728.tif 000026
【図１０Ａ】
2021509728.tif 000027
【図１０Ｂ】
2021509728.tif 000028
【国際調査報告】
2021509728.tif 000029